(57)【要約】【課題】装置構成の複雑化や装置全体の大型化を招くことなく、複数桁の数値を円滑に入力することができ、使い勝手の良い衣類処理装置の数値入力装置を提供する。また、この数値入力装置を備える衣類処理装置を提供する。【解決手段】本実施形態に係る数値入力装置は、衣類処理装置に数値を入力するための数値入力装置であって、一桁の数値がそれぞれ割り当てられた複数の数値キーと、数値キーが操作された場合に、当該数値キーに割り当てられている数値を上位桁の数値として確定する上位桁仮確定手段と、数値キーが操作された場合に、当該数値キーに割り当てられている数値を下位桁の数値として確定する下位桁仮確定手段と、複数の数値キーのうち、入力可能な数値が割り当てられている数値キーを操作可能状態に切り替え、入力不能な数値が割り当てられている数値キーを操作不能状態に切り替える切替手段と、を備える。【選択図】図３
2019212105.tif 000002
【特許請求の範囲】
【請求項１】
衣類処理装置に数値を入力するための数値入力装置であって、
一桁の数値がそれぞれ割り当てられた複数の数値キーと、
前記数値キーが操作された場合に、当該数値キーに割り当てられている数値を上位桁の数値として確定する上位桁仮確定手段と、
前記数値キーが操作された場合に、当該数値キーに割り当てられている数値を下位桁の数値として確定する下位桁仮確定手段と、
複数の前記数値キーのうち、入力可能な数値が割り当てられている数値キーを操作可能状態に切り替え、入力不能な数値が割り当てられている数値キーを操作不能状態に切り替える切替手段と、
を備える衣類処理装置の数値入力装置。
【請求項２】
前記数値キーにより入力された数値を削除する削除手段をさらに備え、
前記上位桁仮確定手段は、前記下位桁仮確定手段により確定されている下位桁の数値が前記削除手段により削除された場合には、確定した上位桁の数値を未確定状態に戻す請求項１に記載の衣類処理装置の数値入力装置。
【請求項３】
前記切替手段は、前記操作可能状態に切り替えている前記数値キーのうち入力を推奨する数値が割り当てられている数値キーを、他の数値キーとは異なる強調状態に切り替える請求項１または２に記載の衣類処理装置の数値入力装置。
【請求項４】
請求項１から３の何れか１項に記載の数値入力装置を備える衣類処理装置。
【発明の詳細な説明】
【技術分野】
【０００１】
本発明の実施形態は、例えば洗濯機などの衣類処理装置に数値を入力するための数値入力装置、および、この数値入力装置を搭載する衣類処理装置に関する。
【背景技術】
【０００２】
従来より、いわゆるテンキーと称される数値入力用の装置が提供されており、このような数値入力装置を、衣類処理装置の一例である洗濯機などに搭載することが考えられている。ここで、例えば特許文献１に開示されている装置は、一つのキーに二桁の数値を割り当てた「００」キーを備えている。この装置によれば、この「００」キーを１回操作することにより、二桁の数値「００」を入力することができ、「０」キーを２回操作する必要がある装置に比べ、操作回数の低減を図ることができる。
【先行技術文献】
【特許文献】
【０００３】
【特許文献１】特開２０１３−１４３０２４号公報
【発明の概要】
【発明が解決しようとする課題】
【０００４】
しかしながら、特許文献１の装置では、二桁の数値「００」を入力する場合の操作回数を減らすことはできるが、それ以外の複数桁の数値、例えば、「０１」、「０２」、「０３」、・・・などの数値については、それぞれ複数回のキー操作を要することとなり、操作回数を低減することができない。即ち、特許文献１の装置では、「００」という特定の数値を入力する場合しか操作回数を減らすことができず、その効果が極めて限定的である。ここで、例えば、数値「０１」を割り当てた「０１」キー、数値「０２」を割り当てた「０２」キー、数値「０３」を割り当てた「０３」キー、・・・などの複数桁入力用の数値キーを別途設ければ、これらの数値キーを操作することにより、１回のキー操作により入力可能な複数桁の数値を増やすことができる。しかし、この場合、数値キーの数が増加することから、装置構成の複雑化や装置全体の大型化を招いてしまう。
【０００５】
そこで、本実施形態は、装置構成の複雑化や装置全体の大型化を招くことなく、複数桁の数値を円滑に入力することができ、使い勝手の良い衣類処理装置の数値入力装置を提供すること、および、この数値入力装置を備える衣類処理装置を提供することを目的とする。
【課題を解決するための手段】
【０００６】
本実施形態に係る数値入力装置は、衣類処理装置に数値を入力するための数値入力装置であって、複数の数値キーと、上位桁仮確定手段と、下位桁仮確定手段と、切替手段と、を備える。数値キーには、一桁の数値がそれぞれ割り当てられている。上位桁仮確定手段は、前記数値キーが操作された場合に、当該数値キーに割り当てられている数値を上位桁の数値として確定する。下位桁仮確定手段は、前記数値キーが操作された場合に、当該数値キーに割り当てられている数値を下位桁の数値として確定する。切替手段は、複数の前記数値キーのうち、入力可能な数値が割り当てられている数値キーを操作可能状態に切り替え、入力不能な数値が割り当てられている数値キーを操作不能状態に切り替える。
【図面の簡単な説明】
【０００７】
【図１】本実施形態に係る衣類処理装置の構成例を概略的に示す斜視図
【図２】本実施形態に係る数値入力装置の構成例を概略的に示す図
【図３】本実施形態に係る衣類処理装置の制御系の構成例を概略的に示すブロック図
【図４】本実施形態に係る数値入力装置の動作例を説明するための図（その１）
【図５】本実施形態に係る数値入力装置の動作例を説明するための図（その２）
【図６】本実施形態に係る数値入力装置の動作例を説明するための図（その３）
【図７】本実施形態に係る数値入力装置の動作例を説明するための図（その４）
【図８】第２実施形態に係る数値入力装置の動作例を説明するための図（その１）
【図９】第２実施形態に係る数値入力装置の動作例を説明するための図（その２）
【発明を実施するための形態】
【０００８】
以下、衣類処理装置の数値入力装置および衣類処理装置に係る複数の実施形態について図面を参照しながら説明する。なお、各実施形態において実質的に同一の要素には同一の符号を付し、説明を省略する。
【０００９】
図１に例示する洗濯機１０は、衣類を洗濯するための衣類処理装置の一例である。洗濯機１０は、その外郭を構成するほぼ矩形箱状の筐体１１の内部に、図示しない水槽、ドラムなどを備えている。水槽は、有底円筒状をなしており、その軸線を前上がりに傾斜させた状態あるいは水平方向に向けた状態で、図示しないサスペンションにより弾性的に支持されている。ドラムは、有底円筒状をなしており、その軸線を前上がりに傾斜させた状態あるいは水平方向に向けた状態で、水槽内に回転可能に設けられている。ドラムは、水槽の背面に設けられた図示しないドラムモータにより回転駆動される。
【００１０】
洗濯機１０は、さらに、操作パネル１２を備えている。本実施形態では、操作パネル１２は、筐体１１の前部の上面に設けられている。操作パネル１２は、数値入力装置の一例であり、例えば液晶パネルにより構成されている。図２に例示するように、操作パネル１２には、複数、この場合、１０個の数値キー２０〜２９と、１つの削除キー３０と、１つの確定キー４０とが設けられている。
【００１１】
数値キー２０〜２９には、一桁の数値「０」〜「９」がそれぞれ割り当てられている。また、数値キー２０〜２９は、それぞれ複数の入力部を備えている。本実施形態では、数値キー２０〜２９は、それぞれ、上位桁用入力部２０ａ〜２９ａおよび下位桁用入力部２０ｂ〜２９ｂを備えている。上位桁用入力部２０ａ〜２９ａは、洗濯機１０に入力する複数桁の数値の上位桁の数値、この場合、二桁の数値の十の位の数値を入力するための入力部として設けられている。また、下位桁用入力部２０ｂ〜２９ｂは、洗濯機１０に入力する複数桁の数値の下位桁の数値、この場合、二桁の数値の一の位の数値を入力するための入力部として設けられている。
【００１２】
また、操作パネル１２の上部には、コース表示部５１と、設定内容表示部５２が設けられている。コース表示部５１には、選択されている運転コースの名称、例えば、標準コース、スピードコース、おしゃれ着コースなどの名称が表示される。なお、運転コースの選択は、操作パネル１２の近傍に設けられている図示しないコース選択スイッチにより選択可能となっている。設定内容表示部５２には、ドラム内の衣類を洗う洗い行程、衣類をすすぐすすぎ行程、衣類を脱水する脱水行程などの各行程について、運転時間、運転回数などの設定内容が表示される。
【００１３】
図３に例示するように、操作パネル１２は、筐体１１の内部に設けられている制御装置６０に接続されている。制御装置６０は、例えばマイクロコンピュータを主体として構成されており、制御プログラムに従って、洗濯機１０の動作全般を制御する。また、制御装置６０は、制御プログラムを実行することにより、上位桁仮確定処理部６１、下位桁仮確定処理部６２、切替処理部６３、削除処理部６４、本確定処理部６５などの各種の処理部をソフトウェアにより仮想的に実現する。なお、これらの処理部は、ハードウェアにより構成してもよいし、ソフトウェアとハードウェアの組み合わせにより構成してもよい。
【００１４】
上位桁仮確定処理部６１は、上位桁仮確定手段の一例であり、複数の数値キー２０〜２９の何れか１つが操作された場合に、その操作された数値キー２０〜２９に割り当てられている数値を上位桁の数値として暫定的に確定する。即ち、上位桁仮確定処理部６１は、複数の数値キー２０〜２９の何れか１つが操作されることにより入力された数値を、上位桁の一例である十の位の数値として仮確定する機能を有する。
【００１５】
下位桁仮確定処理部６２は、下位桁仮確定手段の一例であり、複数の数値キー２０〜２９の何れか１つが操作された場合に、その操作された数値キー２０〜２９に割り当てられている数値を下位桁の数値として暫定的に確定する。即ち、下位桁仮確定処理部６２は、複数の数値キー２０〜２９の何れか１つが操作されることにより入力された数値を、下位桁の一例である一の位の数値として仮確定する機能を有する。
【００１６】
切替処理部６３は、切替手段の一例であり、複数の数値キー２０〜２９のうち入力可能な数値が割り当てられている数値キー２０〜２９の上位桁用入力部２０ａ〜２９ａおよび下位桁用入力部２０ｂ〜２９ｂを操作可能状態に切り替える。また、切替処理部６３は、複数の数値キー２０〜２９のうち入力不能な数値が割り当てられている数値キー２０〜２９の上位桁用入力部２０ａ〜２９ａおよび下位桁用入力部２０ｂ〜２９ｂを操作不能状態に切り替える。
【００１７】
上位桁仮確定処理部６１は、上位桁用入力部２０ａ〜２９ａが操作可能状態に切り替えられている状態において数値キー２０〜２９が操作された場合には、その操作された数値キー２０〜２９に割り当てられている数値を上位桁である十の位の数値として仮確定する。一方、上位桁仮確定処理部６１は、上位桁用入力部２０ａ〜２９ａが操作不能状態に切り替えられている状態において数値キー２０〜２９が操作された場合には、その操作された数値キー２０〜２９に割り当てられている数値を上位桁である十の位の数値として仮確定せず、無効とする。
【００１８】
下位桁仮確定処理部６２は、下位桁用入力部２０ｂ〜２９ｂが操作可能状態に切り替えられている状態において数値キー２０〜２９が操作された場合には、その操作された数値キー２０〜２９に割り当てられている数値を下位桁である一の位の数値として仮確定する。一方、下位桁仮確定処理部６２は、下位桁用入力部２０ｂ〜２９ｂが操作不能状態に切り替えられている状態において数値キー２０〜２９が操作された場合には、その操作された数値キー２０〜２９に割り当てられている数値を下位桁である一の位の数値として仮確定せず、無効とする。
【００１９】
削除処理部６４は、削除手段の一例であり、削除キー３０が操作された場合に、その直前、つまり、削除キー３０の操作の直前に数値キー２０〜２９により入力された数値を削除する。下位桁仮確定処理部６２により仮確定されている下位桁の数値が削除処理部６４によって削除された場合には、上位桁仮確定処理部６１は、仮確定した上位桁の数値を仮確定前の状態、つまり、未確定状態に戻す。
【００２０】
本確定処理部６５は、確定手段の一例であり、確定キー４０が操作された場合に、その時点で上位桁仮確定処理部６１によって仮確定されている数値を上位桁の一例である十の位の数値として本確定し、また、その時点で下位桁仮確定処理部６２によって仮確定されている数値を下位桁の一例である一の位の数値として本確定する。制御装置６０は、本確定処理部６５によって本確定された数値に基づいて、洗い行程、すすぎ行程、脱水行程などの各行程における運転内容、例えば、運転時間や運転回数などを制御する。
【００２１】
次に、上述のように構成される操作パネル１２を介して洗濯機１０に数値を入力する場合の具体的な動作例について説明する。
【００２２】
（具体例１）
この例では、洗い行程の運転時間として入力可能な数値として５〜６８分が入力可能に構成されている場合において、入力可能範囲内に含まれる二桁の数値６５分を入力する場合について説明する。この例によれば、図４に例示する初期画面において、上位桁である十の位の値として入力可能な数値は１〜６である。また、下位桁である一の位の値として入力可能な数値は５〜９である。そのため、制御装置６０は、１〜６の数値に対応する数値キー２１〜２６の上位桁用入力部２１ａ〜２６ａを操作可能状態とし、０，７，８，９の数値に対応する数値キー２０，２７，２８，２９の上位桁用入力部２０ａ，２７ａ，２８ａ，２９ａを操作不能状態とする。また、制御装置６０は、５〜９の数値に対応する数値キー２５〜２９の下位桁用入力部２５ｂ〜２９ｂを操作可能状態とし、０〜４の数値に対応する数値キー２０〜２４の下位桁用入力部２０ｂ〜２４ｂを操作不能状態とする。
【００２３】
また、制御装置６０は、削除キー３０および確定キー４０を操作可能状態に切り替える。なお、説明の便宜上、図面では、操作可能状態に切り替えられている上位桁用入力部２１ａ〜２６ａ、下位桁用入力部２５ｂ〜２９ｂを実線により示し、操作不能状態に切り替えられている上位桁用入力部２０ａ，２７ａ，２８ａ，２９ａ、下位桁用入力部２０ｂ〜２４ｂを破線により示している。
【００２４】
図４に例示する状態において、ユーザが所望の数値、この場合、６５を入力しようとして、まず、十の位の数値６に対応する数値キー２６を操作すると、制御装置６０は、その数値キー２６の操作により入力された数値６が、十の位の入力可能範囲１〜６内、且つ、一の位の入力可能範囲０〜９内であるため、この時点では、十の位の数値か一の位の数値かは仮確定しない。そして、制御装置６０は、図５に例示するように、設定内容表示部５２の洗い行程の運転時間に数値６を表示する。また、図示はしないが、制御装置６０は、一の位の入力可能範囲０〜８に対応する下位桁用入力部２０ｂ〜２８ｂを操作可能状態とし、一の位について入力不可である数値９に対応する下位桁用入力部２９ｂを操作不能状態とする。
【００２５】
そして、続いてユーザが一の位の数値５に対応する数値キー２５を操作すると、制御装置６０は、先の数値キー２６の操作により入力された未確定状態である数値６を十の位の数値として仮確定し、数値キー２５の操作により入力された数値５を一の位の数値として仮確定する。そして、制御装置６０は、図６に例示するように、設定内容表示部５２の洗い行程の運転時間に、さらに数値５を表示する。これにより、設定内容表示部５２の洗い行程の運転時間に数値６５が表示されるようになる。また、制御装置６０は、全ての上位桁用入力部２０ａ〜２９ａ、下位桁用入力部２０ｂ〜２９ｂを操作不能状態とする。
【００２６】
そして、ユーザが確定キー４０を操作すると、制御装置６０は、その時点で仮確定されている十の位の数値６および一の位の数値５を本確定し、洗い行程の運転時間として６５分を設定する。なお、制御装置６０は、確定キー４０が操作される前に削除キー３０が操作された場合には、その直前に入力された数値、即ち、数値キー２５の操作により仮確定された下位桁の数値５を削除する。このとき、制御装置６０は、上位桁の数値６の仮確定状態を維持する。そして、制御装置６０は、さらに削除キー３０が操作されて上位桁の数値６が削除された場合には、その数値６の仮確定状態を解除する。また、削除キー３０は、複数桁の数値を一桁ずつ削除する削除キーとしてではなく、複数桁の数値を一括して削除する全削除キーとして構成することも可能である。この場合、削除キー３０が操作されると、制御装置６０は、下位桁の数値の仮確定状態を解除するとともに、上位桁の数値の仮確定状態も解除する。
【００２７】
（具体例２）
この例では、洗い行程の運転時間として入力可能な数値として５〜６８分が入力可能に構成されている場合において、入力可能範囲内に含まれる一桁の数値６分を入力する場合について説明する。即ち、図４に例示した状態において、ユーザは、所望の数値、この場合、数値６を入力しようとして、一の位の数値６に対応する数値キー２６を操作する。これにより、図７に例示するように、制御装置６０は、設定内容表示部５２の洗い行程の運転時間に数値６を表示する。
【００２８】
このとき、数値キー２６は、下位桁用入力部２６ｂが操作可能状態となっている。そのため、入力された数値６が十の位の数値として入力されたものである可能性も考えられる。そこで、制御装置６０は、入力された数値６を直ちに一の位の数値として仮確定するのではなく、次の操作が入力されるまで待機する。
【００２９】
ここで、次の操作が確定キー４０の操作である場合には、制御装置６０は、数値キー２６の操作による数値６の入力が一の位の数値の入力であると判断し、その数値キー２６の操作により入力された数値６を一の位の数値として仮確定する。そして、制御装置６０は、仮確定した一の位の数値６を本確定し、洗い行程の運転時間として６分を設定する。なお、制御装置６０は、再度、確定キー４０が操作されたことを条件に数値６を本確定するように構成してもよい。
【００３０】
一方、次の操作が何れかの数値キー２０〜２９である場合には、制御装置６０は、数値キー２６の操作による数値６の入力が十の位の数値の入力であると判断し、その数値キー２６の操作により入力された数値６を十の位の数値として仮確定する。そして、制御装置６０は、新たに操作された数値キー２０〜２９により入力された数値を一の位の数値として仮確定する。以降は、上述した具体例１と同様である。
【００３１】
（具体例３）
この例では、洗い行程の運転時間として入力可能な数値として５〜６８分が入力可能に構成されている場合において、入力可能範囲から外れる二桁の数値９３分を入力する場合について説明する。即ち、図４に例示した状態において、ユーザが所望の数値、この場合、９３を入力しようとして、まず、十の位の数値９に対応する数値キー２９を操作したとする。しかし、この数値キー２９の上位桁用入力部２９ａは操作不能状態となっている。そのため、制御装置６０は、その数値キー２９の操作により入力された数値９を十の位の数値として仮確定せず、無効とする。このとき、制御装置６０は、入力可能範囲から外れる数値が入力されたことを報知する報知処理を実行するように構成してもよい。なお、この報知処理は、表示による報知処理であってもよいし、音声による報知処理であってもよい。
【００３２】
（具体例４）
上述の具体例３においては、入力された数値９が一の位の数値として入力されたものである可能性も考えられる。そして、その数値９は、一の位の数値としては入力可能範囲内に含まれる数値である。そのため、この例では、制御装置６０は、入力された数値９を直ちに一の位の数値として仮確定するのではなく、次の操作が入力されるまで待機する。そして、次の操作が確定キー４０の操作である場合には、制御装置６０は、数値キー２９の操作による数値９の入力が一の位の数値の入力であると判断し、その数値キー２９の操作により入力された数値９を一の位の数値として仮確定する。そして、制御装置６０は、仮確定した一の位の数値９を本確定し、洗い行程の運転時間として９分を設定する。なお、制御装置６０は、再度、確定キー４０が操作されたことを条件に数値９を本確定するように構成してもよい。
【００３３】
本実施形態によれば、一桁の数値がそれぞれ割り当てられた複数の数値キー２０〜２９を備える構成において、上位桁仮確定処理部６１は、上位桁用入力部２０ａ〜２９ａが操作可能状態に切り替えられている数値キー２０〜２９が操作された場合に、当該数値キー２０〜２９に割り当てられている数値を上位桁の数値として確定し、下位桁仮確定処理部６２は、下位桁用入力部２０ｂ〜２９ｂが操作可能状態に切り替えられている数値キー２０〜２９が操作された場合に、当該数値キー２０〜２９に割り当てられている数値を下位桁の数値として確定する。
【００３４】
この構成によれば、数値キー２０〜２９の操作により入力される数値を上位桁あるいは下位桁の数値として順次確定することができ、数値キー２０〜２９以外に複数桁の数値を入力するための数値キーを別途設けなくとも、複数桁の数値を入力することができる。よって、装置構成の複雑化や装置全体の大型化を招くことなく、複数桁の数値を円滑に入力することができ、使い勝手の良い洗濯機の数値入力装置を提供することができる。
【００３５】
さらに、本実施形態によれば、入力可能な数値が割り当てられている数値キー２０〜２９の上位桁用入力部２０ａ〜２９ａおよび下位桁用入力部２０ｂ〜２９ｂは操作可能状態に切り替えられ、入力不能な数値が割り当てられている数値キー２０〜２９の上位桁用入力部２０ａ〜２９ａおよび下位桁用入力部２０ｂ〜２９ｂは操作不能状態に切り替えられる。よって、入力不能な数値が誤って入力されてしまうことを確実に回避することができ、より使い勝手の良い数値入力装置を提供することができる。
【００３６】
また、本実施形態によれば、下位桁の数値が削除された場合には、仮確定されている上位桁の数値が未確定状態に戻される。つまり、下位桁の削除に伴い、その下位桁が入力される前の状態、つまり、入力された数値が上位桁にも下位桁にもなり得る状態に確実に戻される。そのため、誤入力された数値がそのまま仮確定、さらには本確定されてしまうことを確実に回避することができる。
【００３７】
（第２実施形態）
本実施形態では、切替処理部６３は、上位桁用入力部２０ａ〜２９ａあるいは下位桁用入力部２０ｂ〜２９ｂが操作可能状態に切り替えている数値キー２０〜２９のうち入力を推奨する数値が割り当てられている数値キー２０〜２９を、他の数値キー２０〜２９とは異なる強調状態に切り替える機能を備えている。
【００３８】
即ち、図８に例示するように、例えば洗い行程の運転時間として３９分を推奨する場合には、制御装置６０は、まず、上位桁の推奨数値３が割り当てられている数値キー２３の表示態様を他の数値キー２０〜２２，２４〜２９の表示態様と異ならせる。そして、制御装置６０は、数値キー２３が操作されると、入力された数値３を上位桁である十の位の数値として仮確定する。また、図９に例示するように、制御装置６０は、下位桁の推奨数値９が割り当てられている数値キー２９の表示態様を他の数値キー２０〜２８の表示態様と異ならせる。
【００３９】
なお、推奨する数値キー２０〜２９を強調状態で表示するための表示態様としては、例えば、推奨する数値キー２０〜２９の表示色を異ならせる、大きさを異ならせる、点灯させる、点滅させる、形状を異ならせるなど、推奨しない数値キー２０〜２９と異なる表示態様であれば種々の状態を採用することができる。
【００４０】
本実施形態によれば、上位桁用入力部２０ａ〜２９ａあるいは下位桁用入力部２０ｂ〜２９ｂが操作可能状態に切り替えられている数値キー２０〜２９のうち、特に、入力を推奨する数値が割り当てられている数値キー２０〜２９が、他の数値キー２０〜２９とは異なる強調状態に切り替えられる。これにより、ユーザに、推奨する数値を入力することを促すことができ、より適切な数値を設定させることができる。
【００４１】
（その他の実施形態）
なお、本実施形態は、上述した複数の実施形態に限定されるものではなく、要旨を逸脱しない範囲で適宜変形または拡張することができる。即ち、例えば、複数の数値キー２０〜２９に、さらに１つ以上の中位桁用入力部を設けることにより、３桁以上の複数桁の入力を可能にすることができる。
【００４２】
また、本実施形態は、回転槽の回転軸が水平方向または傾斜方向に延びるいわゆるドラム式の洗濯機に限られるものではなく、回転槽の回転軸が垂直方向となるいわゆる縦軸型の洗濯機にも適用することができる。また、本実施形態は、洗濯機能を有しない純粋な衣類乾燥機にも適用することができる。また、本実施形態は、例えば、衣類の消臭、脱臭、除菌など、衣類に対して何らかの処理を施す装置であれば、種々の衣類処理装置に適用することができる。
【００４３】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００４４】
図面中、１０は洗濯機（衣類処理装置）、１２は操作パネル（数値入力装置）、２０〜２９は数値キー、６１は上位桁仮確定処理部（上位桁仮確定手段）、６２は下位桁仮確定処理部（下位桁仮確定手段）、６３は切替処理部（切替手段）、６４は削除処理部（削除手段）、６５は本確定処理部を示す。
【図１】
2019212105.tif 000003
【図２】
2019212105.tif 000004
【図３】
2019212105.tif 000005
【図４】
2019212105.tif 000006
【図５】
2019212105.tif 000007
【図６】
2019212105.tif 000008
【図７】
2019212105.tif 000009
【図８】
2019212105.tif 000010
【図９】
2019212105.tif 000011